(57)【特許請求の範囲】
【請求項１】
外部サーバーとネットワークを介して通信可能な電子機器であって、
操作可能な機構部と、
前記機構部への操作に起因する同機構部の状態変化を検知する状態変化検知部と、
画面を表示する表示部と、
同表示部に表示させる画面に関する画面情報であるネイティブ画面情報を記憶するネイティブ画面記憶部と、
同ネイティブ画面記憶部に記憶されている前記ネイティブ画面情報に基づいた画面を前記表示部に表示させる第１の表示処理と、前記外部サーバーから受信した画面情報であるサーバー画面情報に基づいた画面を前記表示部に表示させる第２の表示処理とを実施する表示制御部と、を備え、
前記表示制御部は、前記外部サーバーによって指定されているＵＲＬを記憶させるアクセス情報記憶部を備えており、
前記表示制御部は、前記第２の表示処理を実施するときに、前記アクセス情報記憶部に記憶されているＵＲＬに基づき、前記外部サーバーから前記サーバー画面情報を受信し、同サーバー画面情報に基づいた画面を前記表示部に表示させるようになっており、
前記表示制御部は、
前記第２の表示処理を実施している最中に前記状態変化検知部によって前記機構部の状態変化が検知されたときには、前記第２の表示処理から前記第１の表示処理に切り替え、同機構部の状態変化の態様に応じた画面に関する前記ネイティブ画面情報に基づいた画面を前記表示部に表示させ、
その後に前記第１の表示処理を終了させて前記第２の表示処理を再開させるときには、前記アクセス情報記憶部に記憶されている最新のＵＲＬに対応した前記サーバー画面情報に基づいた画面を前記表示部に表示させる
ことを特徴とする電子機器。
【請求項２】
媒体に対して印刷を施す印刷部を備え、
前記機構部は、印刷前の媒体が収容されるとともに、前記電子機器の本体への装着及び脱着が可能な媒体収容部を含んでおり、
前記表示制御部は、前記第２の表示処理を実施している最中に前記状態変化検知部によって前記媒体収容部の状態変化が検知されたときには、前記第２の表示処理から前記第１の表示処理に切り替え、同媒体収容部にセットされた媒体の属性を設定させるための画面に関する前記ネイティブ画面情報に基づいた画面を前記表示部に表示させる
請求項１に記載の電子機器。
【請求項３】
前記機構部はカバー部材を含み、同カバー部材は、前記電子機器の内部を覆うための遮蔽位置と、前記電子機器の内部を外部に露出させるための開放位置との間での変位が可能に構成されており、
前記表示制御部は、前記第２の表示処理を実施している最中に前記状態変化検知部によって前記カバー部材の位置が前記遮蔽位置から変わったことが検知されたときには、前記第２の表示処理から前記第１の表示処理に切り替え、前記カバー部材の位置変化に応じた画面に関する前記ネイティブ画面情報に基づいた画面を前記表示部に表示させる
請求項１又は請求項２に記載の電子機器。
【請求項４】
前記表示制御部は、前記第１の表示処理を実施する第１の表示制御部と、前記第２の表示処理を実施する第２の表示制御部と、前記表示部の制御権を管理する制御権管理部と、を備え、
前記第１の表示制御部は、同第１の表示制御部が前記制御権を有しているときに、前記第１の表示処理を実施し、
前記第２の表示制御部は、同第２の表示制御部が前記制御権を有しているときに、前記第２の表示処理を実施し、
前記制御権管理部は、前記第２の表示制御部によって前記第２の表示処理が実施されている場合に前記状態変化検知部によって前記機構部の状態変化が検知されたときに、前記制御権を前記第２の表示制御部から前記第１の表示制御部に移管させるようになっており、
前記第２の表示制御部は、前記第２の表示処理を実施している場合に前記状態変化検知部によって前記機構部の状態変化が検知されたときに、前記第２の表示処理の実施を終了し、
前記第１の表示制御部は、前記第２の表示制御部によって前記第２の表示処理が実施されている場合に前記状態変化検知部によって前記機構部の状態変化が検知されて前記制御権が前記第２の表示制御部から移管されたときには、前記第１の表示処理の実施によって、同機構部の状態変化の態様に応じた画面に関する前記ネイティブ画面情報に基づいた画面を前記表示部に表示させる
請求項１〜請求項３のうち何れか一項に記載の電子機器。
【請求項５】
ネットワークを介して外部サーバーと通信する電子機器における表示制御方法であって、
前記電子機器は、ユーザーによって操作される機構部と、画面を表示する表示部と、同表示部の表示態様を制御する制御装置と、を備え、
前記制御装置には、前記表示部に表示させる画面に関する画面情報であるネイティブ画面情報を記憶するネイティブ画面記憶部と、前記外部サーバーによって指定されているＵＲＬを記憶させるアクセス情報記憶部とが設けられており、
前記制御装置に、
同ネイティブ画面記憶部に記憶されている前記ネイティブ画面情報に基づいた画面を前記表示部に表示させる第１の表示処理ステップと、
前記アクセス情報記憶部に記憶されているＵＲＬに基づき、前記外部サーバーからサーバー画面情報を受信し、同サーバー画面情報に基づいた画面を前記表示部に表示させる第２の表示処理ステップと、
前記機構部への操作に起因する同機構部の状態変化を検知させる状態変化検知ステップと、
前記サーバー画面情報に基づいた画面を前記表示部が表示している最中に前記状態変化検知ステップで前記機構部の状態変化を検知したときには、前記第２の表示処理ステップから前記第１の表示処理ステップに切り替えさせる切り替えステップと、を実行させ、
前記切り替えステップの実行によって前記第１の表示処理ステップが実行されたときには、前記機構部の状態変化の態様に応じた画面に関する前記ネイティブ画面情報に基づいた画面を前記表示部に表示させ、
前記機構部の状態変化の態様に応じた画面に関する前記ネイティブ画面情報に基づいた画面の前記表示部への表示を終了させて前記第２の表示処理ステップを実行させるときには、前記アクセス情報記憶部に記憶されている最新のＵＲＬに対応した前記サーバー画面情報に基づいた画面を前記表示部に表示させる
ことを特徴とする電子機器における表示制御方法。
【発明の詳細な説明】
【技術分野】
【０００１】
本発明は、表示部を有する電子機器と、同電子機器における表示制御方法とに関する。
【背景技術】
【０００２】
特許文献１には、ウェブブラウザー機能を有する複合機（電子機器の一例）が記載されている。こうした複合機では、外部サーバーで作成された画面であるブラウザー画面を自身の表示部に表示させることができる。すなわち、複合機の制御装置は、外部サーバーによってアクセス情報の一例であるＵＲＬ（Uniform Resource Locator）が指定されると、このＵＲＬのブラウザー画面に関する情報であるブラウザー画面情報を要求し、同ブラウザー画面情報を受信（ダウンロード）する。そして、制御装置は、受信したブラウザー画面情報に基づいたブラウザー画面を表示部に表示させる。
【先行技術文献】
【特許文献】
【０００３】
【特許文献１】特開２０１４−４８７４６号公報
【発明の概要】
【発明が解決しようとする課題】
【０００４】
ここで、複合機などの印刷装置にあっては、機構部の一例を構成する用紙カセットにセットされている用紙（媒体の一例）の属性（サイズや種類など）を検知するためのセンサーを備えていない装置もある。こうした印刷装置では、同印刷装置を構成するユーザーインターフェースをユーザーが操作することにより、用紙カセットにセットされている用紙の属性を取得することができる。
【０００５】
なお、こうした用紙の属性を設定するためのユーザーによるユーザーインターフェースの操作は、用紙カセットが操作され、用紙カセットが印刷装置の本体から離脱されたり用紙カセットが本体に装着されたりしたときに行われることがある。そのため、ユーザーによる用紙カセットの操作に起因する同用紙カセットの状態変化が検出されたときには、印刷装置の表示部に表示させる画面を、そのときの同機構部の状態変化の態様に応じた画面の一例である用紙属性設定用の画面に切り替えることが好ましい。
【０００６】
しかしながら、外部サーバーによって指定されているＵＲＬのブラウザー画面を表示部に表示させる印刷装置と、同外部サーバーとを備えるシステムでは、ユーザーによる用紙カセットの操作に起因する同用紙カセットの状態変化を外部サーバーで検知することができない。そのため、当該外部サーバーでは、用紙属性設定用の画面を印刷装置の表示部に表示させるタイミングを計ることができず、ユーザーによる用紙カセットの操作によって同用紙カセットの状態が変化しても、印刷装置の表示部に用紙属性設定用の画面が表示されないおそれがある。
【０００７】
ただし、ポーリングを実施する外部サーバーにあっては、印刷装置の状態、すなわち上記のような給紙カセットの状態変化を検知することは可能であり、当該外部サーバーでは、用紙属性設定用の画面を、ブラウザー画面として印刷装置の表示部に表示させることが可能である。しかし、ユーザーによる給紙カセットの操作に起因して同給紙カセットの状態が変化したタイミングと、外部サーバーがポーリングを実施することによって給紙カセットの状態変化を検知するタイミングとのずれが大きいほど、用紙属性設定用の画面の表示部への表示に遅れが生じることとなる。
【０００８】
本発明の目的は、機構部がユーザーによって操作されたときに、そのときの同機構部の状態変化の態様に応じた画面を表示部に速やかに表示させることができる電子機器、及び電子機器における表示制御方法を提供することにある。
【課題を解決するための手段】
【０００９】
上記目的を達成するための電子機器は、外部サーバーとネットワークを介して通信可能な電子機器であって、操作可能な機構部と、前記機構部への操作に起因する同機構部の状態変化を検知する状態変化検知部と、画面を表示する表示部と、同表示部に表示させる画面に関する画面情報であるネイティブ画面情報を記憶するネイティブ画面記憶部と、同ネイティブ画面記憶部に記憶されている前記ネイティブ画面情報に基づいた画面を前記表示部に表示させる第１の表示処理と、前記外部サーバーから受信した画面情報であるサーバー画面情報に基づいた画面を前記表示部に表示させる第２の表示処理とを実施する表示制御部と、を備え、前記表示制御部は、前記第２の表示処理を実施している最中に前記状態変化検知部によって前記機構部の状態変化が検知されたとき、前記第２の表示処理から前記第１の表示処理に切り替え、同機構部の状態変化の態様に応じた画面に関する前記ネイティブ画面情報に基づいた画面を前記表示部に表示させる。
【００１０】
上記構成によれば、外部サーバーから受信したサーバー画面情報に基づいた画面が表示部に表示されている状況下で、ユーザーによる機構部の操作に起因する同機構部の状態変化が検知されると、表示処理が、第２の表示処理から第１の表示処理に切り替えられる。すると、機構部の状態変化の態様に応じた画面に関するネイティブ画面情報がネイティブ画面記憶部から読み出され、このネイティブ画面情報に基づいた画面が表示部に表示される。したがって、機構部がユーザーによって操作されたときに、そのときの同機構部の状態変化の態様に応じた画面を表示部に速やかに表示させることができるようになる。
【００１１】
上記電子機器は、媒体に対して印刷を施す印刷部を備え、前記機構部は、印刷前の媒体が収容されるとともに、前記電子機器の本体への装着及び脱着が可能な媒体収容部を含んでおり、前記表示制御部は、前記第２の表示処理を実施している最中に前記状態変化検知部によって前記媒体収容部の状態変化が検知されたときには、前記第２の表示処理から前記第１の表示処理に切り替え、同媒体収容部にセットされた媒体の属性を設定させるための画面に関する前記ネイティブ画面情報に基づいた画面を前記表示部に表示させることが好ましい。
【００１２】
ユーザーによって媒体収容部が操作されると、媒体収容部に収容される媒体の属性が変わった可能性がある。そのため、電子機器の表示部に、媒体の属性を設定させるための画面を表示させ、媒体収容部に収容されている媒体の属性をユーザーに設定させる必要がある。この点、上記構成によれば、外部サーバーから受信したサーバー画面情報に基づいた画面が表示部に表示されている状況下で、ユーザーによる媒体収容部の操作に起因する同媒体収容部の状態変化が検知されると、表示処理が、第２の表示処理から第１の表示処理に切り替えられる。その結果、電子機器の表示部に、媒体の属性を設定させるための画面を表示させることができるようになる。
【００１３】
上記電子機器は、前記機構部はカバー部材を含み、同カバー部材は、前記電子機器の内部を覆うための遮蔽位置と、前記電子機器の内部を外部に露出させるための開放位置との間での変位が可能に構成されており、前記表示制御部は、前記第２の表示処理を実施している最中に前記状態変化検知部によって前記カバー部材の位置が前記遮蔽位置から変わったことが検知されたときには、前記第２の表示処理から前記第１の表示処理に切り替え、前記カバー部材の位置変化に応じた画面に関する前記ネイティブ画面情報に基づいた画面を前記表示部に表示させることが好ましい。
【００１４】
上記構成では、外部サーバーから受信したサーバー画面情報に基づいた画面が表示部に表示されている状況下で、カバー部材の遮蔽位置からの変位が検知されると、表示処理が、第２の表示処理から第１の表示処理に切り替えられる。その結果、電子機器の表示部に、カバー部材の状態の変化に応じた画面を表示部に表示させることができるようになる。
【００１５】
上記電子機器において、前記表示制御部は、前記第２の表示処理を実施するときに、前記外部サーバーによって指定されているアクセス情報に基づき、同外部サーバーから前記サーバー画面情報を受信し、同サーバー画面情報に基づいた画面を前記表示部に表示させるようになっており、前記表示制御部は、前記外部サーバーによって指定されているアクセス情報を記憶させるアクセス情報記憶部を備え、前記第２の表示処理を実施している最中に前記状態変化検知部によって前記機構部の状態変化が検知されたときには、前記外部サーバーによって指定されている最新のアクセス情報を前記アクセス情報記憶部に記憶し、その後に前記第１の表示処理を終了させて前記第２の表示処理を再開させるときには、前記アクセス情報記憶部に記憶されている前記最新のアクセス情報に対応した前記サーバー画面情報に基づいた画面を前記表示部に表示させることが好ましい。
【００１６】
上記構成によれば、第２の表示処理から第１の表示処理に切り替わった場合、外部サーバーによって指定されている最新のアクセス情報が電子機器のアクセス情報記憶部に記憶される。そのため、その後に第１の表示処理が終了し、第２の表示処理が再開されるときには、アクセル情報記憶部から記憶されている最新のアクセス情報に基づいた画面が表示部に表示される。すなわち、アクセス情報を外部サーバーから新たに受信しなくても、第１の表示処理の開始前に表示部に表示されていた画面を、表示部に再び表示させることが可能となる。
【００１７】
また、上記目的を達成するための電子機器における表示制御方法は、ネットワークを介して外部サーバーと通信する電子機器における表示制御方法であって、前記電子機器は、ユーザーによって操作される機構部と、画面を表示する表示部と、同表示部の表示態様を制御する制御装置と、を備え、前記制御装置には、前記表示部に表示させる画面に関する画面情報であるネイティブ画面情報を記憶するネイティブ画面記憶部が設けられており、前記制御装置に、同ネイティブ画面記憶部に記憶されている前記ネイティブ画面情報に基づいた画面を前記表示部に表示させる第１の表示処理ステップと、前記外部サーバーから受信した画面情報であるサーバー画面情報に基づいた画面を前記表示部に表示させる第２の表示処理ステップと、前記機構部への操作に起因する同機構部の状態変化を検知させる状態変化検知ステップと、前記サーバー画面情報に基づいた画面を前記表示部が表示している最中に前記状態変化検知ステップで前記機構部の状態変化を検知したときには、前記第２の表示処理ステップから前記第１の表示処理ステップに切り替えさせる切り替えステップと、を有し、前記切り替えステップの実行によって前記第１の表示処理ステップが実行されたときには、前記機構部の状態変化の態様に応じた画面に関する前記ネイティブ画面情報に基づいた画面を前記表示部に表示させる。
【００１８】
上記構成によれば、上記電子機器と同等の作用効果を得ることができる。
【図面の簡単な説明】
【００１９】
【図１】電子機器の一実施形態である複合機を備える管理システムの一実施形態の概略を示す構成図。
【図２】複合機の概略構成を示す模式図。
【図３】複合機のユーザーインターフェースの一例を示す模式図。
【図４】複合機の電気的構成を示すブロック図。
【図５】複合機の制御装置の機能構成を示すブロック図。
【図６】複合機で利用の許可されている処理を表示する画面の一例を示す図。
【図７】選択可能な印刷ジョブを一覧で表示する画面の一例を示す図。
【図８】印刷中に表示される画面の一例を示す図。
【図９】給紙カセット内の用紙の属性の設定を促す画面の一例を示す図。
【図１０】給紙カセット内の用紙のサイズの設定を促す画面の一例を示す図。
【図１１】給紙カセット内の用紙の種類の設定を促す画面の一例を示す図。
【図１２】カバー部材が遮蔽位置に位置していないことを報知する画面の一例を示す図。
【図１３】ブラウザー画面が表示部に表示されている状況下で割り込み表示イベントが発生した際における処理手順を説明するフローチャート。
【発明を実施するための形態】
【００２０】
以下、電子機器及び電子機器における表示制御方法を具体化した一実施形態について図１〜図１３に従って説明する。
図１は、電子機器の一例である複合機２０を備える管理システム１０を図示している。図１に示すように、この管理システム１０は、外部サーバーの一例である管理サーバー４０と、ＬＡＮ（Local Area Network）などのネットワーク１１を通じて管理サーバー４０と通信可能な複数の複合機２０とを備えている。また、管理システム１０には、ユーザーによって利用される情報端末１２がネットワーク１１に接続されている。
【００２１】
複合機２０は、用紙などの媒体に印刷を施すインクジェット方式の印刷部２１と、媒体に記憶されている画像を読み取るスキャン部２２と、ユーザーインターフェース２３と、管理サーバー４０と共に複合機２０を制御する制御装置２４とを備えている。印刷部２１による印刷方式は、媒体への印刷が可能であれば、ドットインパクト方式、レーザー方式及び感熱方式などのようにインクジェット方式以外の他の方式であってもよい。
【００２２】
複合機２０で実行可能な処理としては、印刷、コピー、スキャン及びファクシミリ（以下、「ＦＡＸ」という。）を含んでいる。例えば、ユーザーが情報端末１２を操作して印刷を要求すると、印刷ジョブが情報端末１２から管理サーバー４０に送信される。そして、この管理サーバー４０から印刷ジョブが各複合機２０の何れか１つの複合機に送信されると、同複合機が印刷ジョブに基づいた印刷を行う。
【００２３】
次に、図２を参照し、複合機２０の構成について説明する。
図２に示すように、複合機２０では、印刷部２１とスキャン部２２とが上下方向に並ぶように配置されている。印刷部２１は、複合機２０の筐体の一部を構成する印刷部ケース８１を備えており、この印刷部ケース８１における前面側の上部にユーザーインターフェース２３が配置されている。
【００２４】
印刷部ケース８１におけるユーザーインターフェース２３よりも下方には、カバー部材８２が開閉可能に取り付けられている。このカバー部材８２は、印刷部２１の内部を覆うための遮蔽位置と、印刷部２１の内部を外部に開放させるための開放位置との間で変位可能（この場合、回動可能）に構成されている。そして、カバー部材８２を開放位置に配置させることにより、ユーザーは、自身の手などを印刷部ケース８１内に進入させることができ、ひいては部品の交換などの各種のメンテナンスを行うことが可能となる。
【００２５】
また、印刷部ケース８１におけるカバー部材８２よりも下方には、印刷済みの用紙Ｐ（媒体の一例）が排出される排出口８３が設けられている。そして、印刷部ケース８１における排出口８３よりも下方には、印刷前の用紙Ｐを収容する媒体収容部の一例である給紙カセット８４が着脱可能に装着されている。なお、カバー部材８２及び給紙カセット８４の各々が、ユーザーが操作可能な「機構部」の一例である。
【００２６】
こうした印刷部ケース８１の内部には、図中左右方向である主走査方向に移動するキャリッジ８５と、キャリッジ８５に支持されている印刷ヘッド８６とが設けられている。そして、この印刷ヘッド８６からインクなどの印刷材が用紙Ｐに向けて吐出されることにより、用紙Ｐに印刷が施される。
【００２７】
次に、図３を参照し、複合機２０のユーザーインターフェース２３について説明する。
図３に示すように、ユーザーインターフェース２３は、ユーザーによる入力操作を受け付ける操作部２３１と、表示部２３２とを備えている。操作部２３１は、表示部２３２に取り付けられているタッチパネル２３Ａと、押しボタン式の複数のハードキー２３Ｂとを有している。なお、図２では、タッチパネル２３Ａが二点鎖線で示されている。そして、ユーザーによるタッチパネル２３Ａの操作によって、例えば表示部２３２上の「印刷」の領域が選択されると、管理システム１０では、ユーザーが印刷を要求していると認識することができる。
【００２８】
なお、ユーザーによる操作部２３１の操作に起因する入力情報は、複合機２０の制御装置２４に入力される。すなわち、ハードキー２３Ｂが操作されると、ハードキー２３Ｂの操作に関する情報であるキー操作情報が入力情報として制御装置２４に入力され、キー操作情報が制御装置２４によって解析される。一方、タッチパネル２３Ａが操作されると、タッチパネル２３Ａの操作に関する情報であるパネル操作情報が入力情報として制御装置２４に入力される。こうしたパネル操作情報は、制御装置２４から管理サーバー４０に送信されることもある。そして、このようにパネル操作情報が管理サーバー４０に送信されたときには、管理サーバー４０でパネル操作情報が解析される。一方、パネル操作情報が管理サーバー４０に送信されないときには、制御装置２４でパネル操作情報が解析される。
【００２９】
次に、図４を参照し、複合機２０の制御装置２４について説明する。
図４に示すように、制御装置２４は、マルチコアプロセッサーを備えている。そして、制御装置２４を構成する複数（この場合、２つ）の制御回路５０，６０のうち、第１の制御回路５０は複合機２０の制御を司っており、第２の制御回路６０は管理サーバー４０との通信を司っている。こうした各制御回路５０，６０は、情報の入出力が互いに可能に構成されている。
【００３０】
第１の制御回路５０は、例えばユーザーが印刷の実行を要求しているときには、印刷部２１を制御することにより、用紙Ｐへの印刷を実行する。また、第１の制御回路５０は、例えばユーザーがコピーの実行を要求しているときには、印刷部２１及びスキャン部２２を制御することにより、コピーを実行する。
【００３１】
こうした第１の制御回路５０には、ユーザーインターフェース２３の操作部２３１のハードキー２３Ｂが操作されると、ハードキー２３Ｂの操作に関するキー操作情報が入力情報として入力される。
【００３２】
また、第１の制御回路５０には、給紙カセット８４が操作されたことを検知するためのカセットセンサー８８と、カバー部材８２の位置が遮蔽位置から開放位置に変化したことを検知するためのカバーセンサー８９とが電気的に接続されている。そのため、第１の制御回路５０は、カセットセンサー８８からの信号を監視することにより、給紙カセット８４が印刷部ケース８１から離脱されたこと、及び給紙カセット８４が印刷部ケース８１に装着されたことを検知することができる。また、第１の制御回路５０は、カバーセンサー８９からの信号を監視することにより、カバー部材８２が遮蔽位置に位置していないことを検知することができる。
【００３３】
第１の制御回路５０は、ＣＰＵ５１、ＡＳＩＣ５２、ＲＡＭ５３、不揮発性メモリー５４及びＶＲＡＭ５５を有している。「ＡＳＩＣ」は「Application Specific IC（特定用途向けＩＣ）」の略記であり、「ＶＲＡＭ」は「Video Random Access Memory」の略記である。不揮発性メモリー５４には、ＣＰＵ５１によって実行される各種のプログラム及び必要な設定データなどが記憶されている。ＲＡＭ５３には、ＣＰＵ５１が実行するプログラムや各種の演算結果などのデータが一時的に記憶される。ＶＲＡＭ５５には、第１の制御回路５０が表示部２３２に表示させる画面であるネイティブ画面に関する情報である画面情報（以下、「ネイティブ画面情報」ともいう。）が記憶される。なお、ネイティブ画面は、複合機２０で予め用意されている画面を含んでいる。
【００３４】
第２の制御回路６０は、ＣＰＵ６１、ＲＡＭ６２、不揮発性メモリー６３及びＶＲＡＭ６４を有している。不揮発性メモリー６３には、ＣＰＵ６１によって実行される各種のプログラム及び必要な設定データなどが記憶されている。ＲＡＭ６２には、ＣＰＵ６１が実行するプログラムや各種の演算結果などのデータが一時的に記憶される。ＶＲＡＭ６４には、第２の制御回路６０が表示部２３２に表示させる画面であるブラウザー画面に関する情報である画面情報（以下、「ブラウザー画面情報」ともいう。）が記憶される。なお、ブラウザー画面情報は、管理サーバー４０によって指定されているＵＲＬから受信（ダウンロード）した画面情報であり、第２の制御回路６０では、管理サーバー４０から受信したブラウザー画面情報がＶＲＡＭ６４に記憶される。なお、「ＵＲＬ」とは、「Uniform Resource Locator」の略記である。そして、このＵＲＬが、「アクセス情報」の一例であり、ブラウザー画面情報が、「サーバー画面情報」の一例である。
【００３５】
また、第２の制御回路６０には、ユーザーインターフェース２３の操作部２３１のタッチパネル２３Ａが操作されると、タッチパネル２３Ａの操作に関するパネル操作情報が入力情報として入力される。そして、第２の制御回路６０は、入力されたパネル操作情報を管理サーバー４０に送信したり、第１の制御回路５０に出力したりする。
【００３６】
また、制御装置２４は、第１の制御回路５０のＶＲＡＭ５５及び第２の制御回路６０のＶＲＡＭ６４とは別にＶＲＡＭ７０を有している。このＶＲＡＭ７０には、表示部２３２に表示されている画面に関する画面情報が記憶される。このＶＲＡＭ７０には、第１の制御回路５０及び第２の制御回路６０の双方がアクセス可能である。そして、第１の制御回路５０及び第２の制御回路６０は、表示部２３２を制御するための表示制御ドライバーを有している。そのため、本実施形態の複合機２０にあっては、第１の制御回路５０による表示制御（「第１の表示処理」ともいう。）が可能であり、第２の制御回路６０による表示制御（「第２の表示処理」ともいう。）が可能である。
【００３７】
具体的には、何れの制御回路によって表示制御を実行させるかについては、第１の制御回路５０によって決定される。すなわち、第１の制御回路５０が、表示部２３２の制御権を管理している。例えば、第１の制御回路５０が制御権を有している場合、第１の制御回路５０は、ネイティブ画面情報をＶＲＡＭ７０に記憶させ、同ネイティブ画面情報に基づいたネイティブ画面を表示部２３２に表示させる。一方、第２の制御回路６０が制御権を第１の制御回路５０から譲り受けた場合、第２の制御回路６０は、管理サーバー４０から受信し、自身のＶＲＡＭ６４に記憶しているブラウザー画面情報を、ＶＲＡＭ７０に記憶させる。そして、第２の制御回路６０は、同ＶＲＡＭ７０に記憶されているブラウザー画面情報に基づいたブラウザー画面を表示部２３２に表示させる。
【００３８】
次に、図５を参照し、複合機２０の制御装置２４の機能構成について説明する。
図５に示すように、複合機２０の制御装置２４は、ソフトウェア及びハードウェアの少なくとも一方で構成される機能部として、ハードキー入力判断部９１、パネル入力判断部９２、表示制御部９３、ネイティブ画面記憶部９４、通信部９５及び制御部９６を有している。
【００３９】
ハードキー入力判断部９１は、所定のプログラムを実行する第１の制御回路５０のＣＰＵ５１によって構成されている。こうしたハードキー入力判断部９１には、ユーザーがハードキー２３Ｂを操作したときに、ユーザーインターフェース２３からのハードキー操作情報が入力される。そして、ハードキー入力判断部９１は、入力されたハードキー操作情報を解析し、その解析結果を表示制御部９３に出力したり、制御部９６に出力したりする。
【００４０】
パネル入力判断部９２は、所定のプログラムを実行する第２の制御回路６０のＣＰＵ６１によって構成されている。こうしたパネル入力判断部９２には、ユーザーがタッチパネル２３Ａを操作したときに、ユーザーインターフェース２３からのパネル操作情報が入力される。そして、パネル入力判断部９２は、表示部２３２にブラウザー画面が表示されているときには、入力されたパネル操作情報を通信部９５に出力する。すると、このパネル操作情報が、通信部９５から管理サーバー４０に送信される。一方、パネル入力判断部９２は、表示部２３２にネイティブ画面が表示されているときには、パネル操作情報を表示制御部９３に出力する。
【００４１】
表示制御部９３は、所定のプログラムを実行する第１の制御回路５０のＣＰＵ５１及び表示ドライバーと、所定のプログラムを実行する第２の制御回路６０のＣＰＵ６１及び表示ドライバーと、ＶＲＡＭ７０とによって構成されている。こうした表示制御部９３は、第１の表示制御部９３１、イベント発生部９３２、制御権管理部９３３、第２の表示制御部９３４及びＵＲＬ記憶部９３５を有している。
【００４２】
第１の表示制御部９３１は、第１の制御回路５０の表示ドライバー、所定のプログラムを実行する第１の制御回路５０のＣＰＵ５１、及びＶＲＡＭ７０により構成されている。こうした第１の表示制御部９３１は、ネイティブ画面記憶部９４に記憶されているネイティブ画面情報を読み出し、同ネイティブ画面情報に基づいたネイティブ画面を表示部２３２に表示させる第１の表示処理を実行する。
【００４３】
イベント発生部９３２は、所定のプログラムを実行する第１の制御回路５０のＣＰＵ５１によって構成されている。こうしたイベント発生部９３２は、センサー８８，８９からの信号の変化を監視している。そのため、イベント発生部９３２は、機構部の一例であるカバー部材８２や給紙カセット８４が操作されたことを、センサー８８，８９からの信号に基づき検知することができる。この点で、イベント発生部９３２により、カバー部材８２や給紙カセット８４への操作に起因する同カバー部材８２や給紙カセット８４の状態変化を検知する「状態変化検知部」の一例が構成される。そして、イベント発生部９３２は、カバー部材８２や給紙カセット８４の状態変化を検知すると、機構部の状態変化に起因する割り込み表示イベントを発生させて制御権管理部９３３に出力する。
【００４４】
制御権管理部９３３は、所定のプログラムを実行する第１の制御回路５０のＣＰＵ５１によって構成されている。こうした制御権管理部９３３は、表示処理を第１の表示制御部９３１に実施させるのか第２の表示制御部９３４に実施させるのかを管理する。そして、制御権管理部９３３は、第２の表示処理を第２の表示制御部９３４が実施している状況下で、イベント発生部９３２が割り込み表示イベントを発生させると、表示部２３２の制御権を第２の表示制御部９３４から第１の表示制御部９３１に戻す旨を第１の表示制御部９３１及び第２の表示制御部９３４に出力する。その後、制御権管理部９３３は、割り込み表示イベントが終了したときには、表示部２３２の制御権を第１の表示制御部９３１から第２の表示制御部９３４に譲渡する旨を第１の表示制御部９３１及び第２の表示制御部９３４に出力する。
【００４５】
第２の表示制御部９３４は、第２の制御回路６０の表示ドライバー、所定のプログラムを実行する第２の制御回路６０のＣＰＵ６１、及びＶＲＡＭ７０により構成されている。こうした第２の表示制御部９３４は、管理サーバー４０から受信したブラウザー画面情報に基づいたブラウザー画面を表示部２３２に表示させる第２の表示処理を実行する。すなわち、第２の表示制御部９３４は、管理サーバー４０によって指定されたＵＲＬを通信部９５を介して受信し、同ＵＲＬをアクセス情報記憶部の一例であるＵＲＬ記憶部９３５に記憶させる。そして、第２の表示制御部９３４は、表示部２３２の制御権を有しているときには、ＵＲＬ記憶部９３５に記憶されている最新のＵＲＬのブラウザー画面を要求し、同ブラウザー画面に関するブラウザー画面情報を通信部９５を介して管理サーバー４０から受信（ダウンロード）する。続いて、第２の表示制御部９３４は、受信したブラウザー画面情報に基づいたブラウザー画面を表示部２３２に表示させる。
【００４６】
なお、第２の表示制御部９３４がブラウザー画面情報を受信している最中に、表示部２３２の制御権が第２の表示制御部９３４から第１の表示制御部９３１に移行することがある。この場合、第２の表示制御部９３４は、ブラウザー画面情報の受信を中断し、ブラウザー画面を表示部２３２に表示させる第２の表示処理を中断する。
【００４７】
また、第２の表示制御部９３４がＵＲＬを受信している最中に、表示部２３２の制御権が第２の表示制御部９３４から第１の表示制御部９３１に移行することがある。この場合、第２の表示制御部９３４は、第１の表示制御部９３１による第１の表示処理の実行が開始されても、ＵＲＬの受信を継続し、受信したＵＲＬをＵＲＬ記憶部９３５に記憶させる。ただし、第２の表示制御部９３４は、表示部２３２の制御権を有していないときには、当該ＵＲＬのブラウザー画面を管理サーバー４０に要求しない。
【００４８】
制御部９６は、所定のプログラムを実行する第１の制御回路５０のＣＰＵ５１と、第１の制御回路５０のＡＳＩＣ５２とによって構成されている。こうした制御部９６は、印刷制御部９６１、コピー制御部９６２、スキャン制御部９６３及びＦＡＸ制御部９６４を含んでいる。
【００４９】
印刷制御部９６１は、印刷が要求されたときに、管理サーバー４０から印刷ジョブを受信し、同印刷ジョブに基づいた印刷を行う。コピー制御部９６２は、コピーが要求されたときに、印刷部２１及びスキャン部２２を制御してコピーを実行する。
【００５０】
スキャン制御部９６３は、スキャンが要求されたときに、スキャン部２２を制御してスキャンを実行し、取得した画像情報を情報端末１２に送信する。この送信対象となる情報端末１２は、ユーザーによる操作部２３１の操作によって選択することが可能である。
【００５１】
ＦＡＸ制御部９６４は、ＦＡＸが要求されたときに、スキャン部２２を制御して媒体に記録されている画像を読み取り、取得した画像情報をＦＡＸ情報として送信先に送信する。
【００５２】
次に、図６〜図１１を参照し、複合機２０の表示部２３２に表示される画面について説明する。
図６に示す画面は、複合機２０に実行させる処理をユーザーに選択させるための処理選択画面Ｂ１の一例である。この処理選択画面Ｂ１には、「印刷」、「コピー」、「スキャン」及び「ＦＡＸ」の他、「その他」が選択可能に表示されている。そして、処理選択画面Ｂ１上で「その他」が選択された場合には複合機２０の各種のメンテナンスや設定が可能となる。なお、こうした処理選択画面Ｂ１は、ブラウザー画面である。
【００５３】
図７に示す画面は、処理選択画面Ｂ１上で「印刷」が選択された場合における画面の一例である。この画面は、ユーザーが選択可能な印刷ジョブを一覧表示するジョブリスト画面Ｂ２の一例である。なお、こうしたジョブリスト画面Ｂ２は、ブラウザー画面である。
【００５４】
図８に示す画面は、ジョブリスト画面Ｂ２上で印刷ジョブが選択され、同印刷ジョブに基づいた印刷を印刷部２１が実行している最中に表示させる印刷中画面Ｂ３の一例である。この印刷中画面Ｂ３は、ブラウザー画面である。
【００５５】
図９に示す画面は、給紙カセット８４が印刷部ケース８１から離脱されたときに表示される用紙属性設定用画面Ｎ１の一例である。用紙属性設定用画面Ｎ１は、ネイティブ画面である。そして、用紙属性設定用画面Ｎ１上で「サイズ」が選択されると、図１０に示す画面が表示部２３２に表示される。また、用紙属性設定用画面Ｎ１上で「種類」が選択されると、図１１に示す画面が表示部２３２に表示される。また、用紙属性設定用画面Ｎ１上で「ＯＫ」が選択されると、割り込み表示イベントが終了したと判断され、表示部２３２から用紙属性設定用画面Ｎ１が消える。
【００５６】
図１０に示す画面は、媒体の属性の一例である用紙のサイズを設定させるためのサイズ設定用画面Ｎ２である。このサイズ設定用画面Ｎ２上で例えば「Ａ４」が選択され、その後に「ＯＫ」が選択されると、用紙のサイズの設定が完了したと判断され、表示部２３２では、用紙属性設定用画面Ｎ１が再び表示される。
【００５７】
図１１に示す画面は、媒体の属性の一例である用紙の種類を設定させるための種類設定用画面Ｎ３である。この種類設定用画面Ｎ３上で例えば「普通紙」が選択され、その後に「ＯＫ」が選択されると、用紙の種類の設定が完了したと判断され、表示部２３２では、用紙属性設定用画面Ｎ１が再び表示される。
【００５８】
図１２に示す画面は、カバー部材８２が遮蔽位置に位置していないときに表示される画面の一例である。この画面は、カバー部材８２が開放されていることを報知するための開放報知画面Ｎ４の一例である。この開放報知画面Ｎ４は、カバー部材８２が遮蔽位置に戻されると、割り込み表示イベントが終了したと判断され、表示部２３２から消える。
【００５９】
次に、図１３に示すフローチャートを参照し、ユーザーが給紙カセット８４（機構部の一例）を印刷部ケース８１から離脱させ、同給紙カセット８４にセットされる用紙のサイズ及び種類を設定する際の処理手順について説明する。
【００６０】
図１３に示すように、複合機２０の表示部２３２に表示される画面をネイティブ画面からブラウザー画面に切り替える際、管理サーバー４０が、ネイティブ画面からブラウザー画面への切り替えの要求であるブラウザー切替要求を複合機２０に送信する（ステップＳ１−１１）。なお、このステップＳ１−１１では、管理サーバー４０が表示部２３２に表示させたいブラウザー画面（例えば、図７に示すジョブリスト画面Ｂ２）のＵＲＬが、ブラウザー切替要求とともに送信される。
【００６１】
そして、こうしたブラウザー切替要求及びＵＲＬは、第２の制御回路６０の通信部９５で受信される。すると、第２の制御回路６０の通信部９５が、ブラウザー切替要求を第１の制御回路５０の制御権管理部９３３に出力する（ステップＳ２−１１）。また、第２の制御回路６０では、ブラウザー切替要求とともに受信したＵＲＬがＵＲＬ記憶部９３５に記憶される。
【００６２】
一方、ブラウザー切替要求が入力された第１の制御回路５０では、制御権管理部９３３が、表示部２３２の制御権を第２の表示制御部９３４に譲る旨を第１の表示制御部９３１に出力すると、この第１の表示制御部９３１が第１の表示処理を終了する（ステップＳ３−１１）。続いて、第１の制御回路５０の制御権管理部９３３は、表示部２３２の制御権を第２の表示制御部９３４に譲る旨を、第２の制御回路６０の第２の表示制御部９３４に出力する（ステップＳ３−１２）。
【００６３】
そして、第２の制御回路６０において、第２の表示制御部９３４は、管理サーバー４０によって指定されたＵＲＬ、すなわちＵＲＬ記憶部９３５に記憶されている最新のＵＲＬのブラウザー画面に関するブラウザー画面情報を同管理サーバー４０に要求する（ステップＳ２−１２）。すると、管理サーバー４０は、要求されているブラウザー画面情報を第２の制御回路６０に送信する（ステップＳ１−１２）。
【００６４】
そして、第２の制御回路６０では、第２の表示制御部９３４が、ブラウザー画面情報を受信（ダウンロード）し、第２の表示処理を開始する（ステップＳ２−１３）。これにより、表示部２３２には、受信したブラウザー画面情報に基づいたブラウザー画面が表示される。すなわち、このステップＳ２−１３が実施されると、表示部２３２の画面が、ネイティブ画面からブラウザー画面に切り替わる。この点で、ステップＳ２−１３により、複合機２０の制御装置２４に、管理サーバー４０から受信したブラウザー画面情報に基づいた画面を表示部２３２に表示させる「第２の表示処理ステップ」の一例が構成される。
【００６５】
このように表示部２３２にブラウザー画面が表示されている状況下で、ユーザーが給紙カセット８４を印刷部ケース８１から離脱させたとする。この場合、カセットセンサー８８からの信号が変化するため、第１の制御回路５０のイベント発生部９３２が、ユーザーによる給紙カセット８４の操作に起因する給紙カセット８４の状態変化を検知し、同給紙カセット８４の状態変化に起因する割り込み表示イベントを発生させる（ステップＳ３−１３）。この点で、ステップＳ３−１３により、複合機２０の制御装置２４に、機構部への操作に起因する同機構部の状態変化を検知させる「状態変化検知ステップ」の一例が構成される。
【００６６】
すると、第１の制御回路５０では、制御権管理部９３３が、表示部２３２の制御権を第１の表示制御部９３１に戻す旨を、第２の制御回路６０の第２の表示制御部９３４に出力する（ステップＳ３−１４）。すなわち、ステップＳ３−１４により、ブラウザー画面を表示部２３２が表示している最中に操作検知ステップ（ステップＳ３−１３）で機構部の操作を検知したときには、第２の表示処理から第１の表示処理に切り替えさせる「切り替えステップ」の一例が構成される。
【００６７】
そして、第２の制御回路６０において、第２の表示制御部９３４は、第２の表示処理を終了する（ステップＳ２−１４）。これにより、表示部２３２にブラウザー画面が表示されなくなる。
【００６８】
このように第２の表示処理が終了すると、第１の制御回路５０では、第１の表示制御部９３１は、表示部２３２の制御権を第１の表示制御部９３１に戻す旨が制御権管理部９３３から入力されているため、第１の表示処理を開始する（ステップＳ３−１５）。具体的には、第１の表示制御部９３１は、発生した割り込み表示イベントに応じたネイティブ画面情報をネイティブ画面記憶部９４から読み出し、読み出したネイティブ画面情報に基づいたネイティブ画面を表示部２３２に表示させる。すなわち、表示制御部９３は、第２の表示処理を実施している最中に機構部の状態変化が検知されたときには、第２の表示処理から第１の表示処理に切り替え、同機構部の状態変化の態様に応じた画面に関するネイティブ画面情報に基づいた画面を表示部２３２に表示させる。この点で、ステップＳ３−１５により、複合機２０の制御装置２４に、ネイティブ画面記憶部９４に記憶されているネイティブ画面情報に基づいた画面を表示部２３２に表示させる「第１の表示処理ステップ」の一例が構成される。
【００６９】
この場合、給紙カセット８４の状態変化に起因した割り込み表示イベントが発生している。そのため、第１の表示制御部９３１は、ユーザーによる給紙カセット８４の操作時用のネイティブ画面情報をネイティブ画面記憶部９４から読み出すことにより、図９に示す用紙属性設定用画面Ｎ１を表示部２３２に表示させる。この状態で用紙属性設定用画面Ｎ１で「サイズ」の領域がユーザーによって選択されると、第１の表示制御部９３１は、サイズ設定用のネイティブ画面情報をネイティブ画面記憶部９４から読み出し、図１０に示すサイズ設定用画面Ｎ２を表示部２３２に表示させる。そして、このサイズ設定用画面Ｎ２上で用紙サイズ（例えば、「Ａ４」）が設定され、「ＯＫ」の領域が選択されると、第１の表示制御部９３１は、ユーザーによる給紙カセット８４の操作時用のネイティブ画面情報をネイティブ画面記憶部９４から読み出すことにより、図９に示す用紙属性設定用画面Ｎ１を表示部２３２に表示させる。その次に、用紙属性設定用画面Ｎ１で「種類」の領域が選択されると、第１の表示制御部９３１は、種類設定用のネイティブ画面情報をネイティブ画面記憶部９４から読み出し、図１１に示す種類設定用画面Ｎ３を表示部２３２に表示させる。そして、この種類設定用画面Ｎ３上で用紙サイズ（例えば、「普通紙」）が設定され、「ＯＫ」の領域が選択されると、第１の表示制御部９３１は、ユーザーによる給紙カセット８４の操作時用のネイティブ画面情報をネイティブ画面記憶部９４から読み出すことにより、図９に示す用紙属性設定用画面Ｎ１を表示部２３２に表示させる。
【００７０】
この状態で用紙属性設定用画面Ｎ１上の「ＯＫ」の領域が選択されると、用紙の属性の設定が完了したと判断できるため、第１の表示制御部９３１は、割り込み表示イベントの終了を検知する（ステップＳ３−１６）。すると、第１の制御回路５０では、制御権管理部９３３が、表示部２３２の制御権を第２の表示制御部９３４に譲る旨を、第２の制御回路６０の第２の表示制御部９３４に出力する（ステップＳ３−１７）。また、第１の制御回路５０では、第１の表示制御部９３１には、表示部２３２の制御権を第２の表示制御部９３４に譲る旨が制御権管理部９３３から入力される。すると、第１の表示制御部９３１は、第１の表示処理を終了する。
【００７１】
一方、第２の制御回路６０において、第２の表示制御部９３４は、ＵＲＬ記憶部９３５に記憶されている最新のＵＲＬのブラウザー画面に関するブラウザー画面情報を同管理サーバー４０に要求する（ステップＳ２−１５）。すると、管理サーバー４０は、要求されているブラウザー画面情報を第２の制御回路６０に送信する（ステップＳ１−１３）。
【００７２】
そして、第２の制御回路６０では、第２の表示制御部９３４が、ブラウザー画面情報を受信（ダウンロード）し、第２の表示処理を開始する（ステップＳ２−１６）。これにより、表示部２３２には、受信したブラウザー画面情報に基づいたブラウザー画面が表示される。このとき、ＵＲＬ記憶部９３５から読み出したＵＲＬが、ステップＳ２−１３の第２の表示処理の終了直前で表示部２３２に表示されていたブラウザー画面のＵＲＬと同じである場合、このステップＳ２−１６で第２の表示処理が開始されることにより、表示部２３２の画面が、割り込み表示イベントの発生直前の画面に戻ることとなる。
【００７３】
なお、割り込み表示イベントは、給紙カセット８４の状態変化の検知時だけではなく、カバー部材８２の遮蔽位置からの変位が検知されたときにも発生する。すなわち、例えばカバー部材８２への操作に起因し、同カバー部材８２の位置が遮蔽位置から開放位置に変化すると、カバーセンサー８９からの信号が変化するため、第１の制御回路５０のイベント発生部９３２が、割り込み表示イベントを発生させる（ステップＳ３−１３）。
【００７４】
すると、第１の制御回路５０では、制御権管理部９３３が、表示部２３２の制御権を第１の表示制御部９３１に戻す旨を、第２の制御回路６０の第２の表示制御部９３４に出力する（ステップＳ３−１４）。そして、第２の制御回路６０において、第２の表示制御部９３４は、第２の表示処理を終了する（ステップＳ２−１４）。すると、第１の制御回路５０において、第１の表示制御部９３１が、第１の表示処理を開始する（ステップＳ３−１５）。
【００７５】
すなわち、第２の表示処理から第１の表示処理に切り替わると、第１の表示制御部９３１は、図１２に示す開放報知画面Ｎ４を表示部２３２に表示させる。この状態でのユーザー操作によってカバー部材８２が遮蔽位置に戻されると、カバーセンサー８９からの信号が変化するため、第１の制御回路５０のイベント発生部９３２が、割り込み表示イベントを終了させる。すると、第１の表示制御部９３１は、割り込み表示イベントの終了を検知する（ステップＳ３−１６）。続いて、第１の制御回路５０では、制御権管理部９３３が、表示部２３２の制御権を第２の表示制御部９３４に譲る旨を、第２の制御回路６０の第２の表示制御部９３４に出力する（ステップＳ３−１７）。なお、以降の処理の流れについては、給紙カセット８４が操作された場合と同様となるため、ここでは説明を割愛するものとする。
【００７６】
給紙カセット８４の操作やカバー部材８２の操作は、ユーザーが行う操作であって、管理サーバー４０では、こうした操作を予測することは困難である。そのため、本実施形態の複合機２０では、給紙カセット８４やカバー部材８２への操作に起因する給紙カセット８４やカバー部材８２の状態変化が検知されると、給紙カセット８４やカバー部材８２の状態変化の態様に応じたネイティブ画面を割り込み的に表示部２３２に表示させるようにしている。
【００７７】
以上、上記構成及び作用によれば、以下に示す効果を得ることができる。
（１）本実施形態では、ブラウザー画面が表示部２３２に表示されている状況下で、割り込み表示イベントが発生すると、表示処理が、第２の表示処理から第１の表示処理に切り替えられる。すると、機構部の状態変化の態様に応じた画面に関するネイティブ画面情報がネイティブ画面記憶部９４から読み出され、このネイティブ画面情報に基づいたネイティブ画面が表示部２３２に表示される。したがって、機構部がユーザーによって操作されたときに、そのときの同機構部の状態変化の態様に応じたネイティブ画面を表示部２３２に速やかに表示させることができる。
【００７８】
（２）なお、本実施形態では、給紙カセット８４やカバー部材８２などの操作部の状態変化が複合機２０で検知されると、操作部の状態変化を管理サーバー４０が検知しなくても、そのときの同機構部の状態の変化に応じたネイティブ画面が表示部２３２に表示される。したがって、ポーリングを実施することにより複合機２０の状態の変化を管理サーバー４０が監視しなくても、操作部の状態が変化したときには、そのときの同機構部の状態の変化に応じた画面を表示部２３２に表示させることができる。
【００７９】
（３）ここで、ポーリングを実施することにより複合機２０の状態の変化を管理サーバー４０で監視させ、操作部の状態変化を管理サーバー４０が検知したときに、管理サーバー４０が複合機２０の表示部２３２の表示内容を変更させる場合を比較例としたとする。この比較例では、ユーザーによる操作部の操作に起因して同操作部の状態が変化したタイミングと、管理サーバー４０がポーリングを実施することによって操作部の状態変化を検知するタイミングとのずれが大きいほど、複合機２０の表示部２３２の表示内容の変更に遅れが生じることとなる。この点、本実施形態では、操作部の状態変化を管理サーバー４０に検知させることなく、表示部２３２の表示内容を変更させることができる。そのため、上記比較例の場合と比較し、操作部の状態が変化したときには、表示部２３２の表示内容を速やかに変更させることができる。
【００８０】
（４）例えば、ユーザーによって給紙カセット８４が操作されると、給紙カセット８４に収容される用紙Ｐの属性が変わった可能性がある。そのため、本実施形態では、ブラウザー画面が表示部２３２に表示されている状況下で、ユーザーによる給紙カセット８４の操作に起因する割り込み表示イベントが発生すると、表示部２３２に、用紙Ｐの属性を設定させるための用紙属性設定用画面Ｎ１が、割り込み的に表示される。そして、用紙属性設定用画面Ｎ１を表示部２３２に表示させることにより、ユーザーに、給紙カセット８４内の用紙Ｐの属性を設定させることができる。
【００８１】
（５）また、例えば、ブラウザー画面が表示部２３２に表示されている状況下で、カバー部材８２の遮蔽位置からの変位に起因する割り込み表示イベントが発生すると、カバー部材８２の状態に応じた開放報知画面Ｎ４を表示部２３２に表示させることができる。
【００８２】
（６）カバー部材８２が遮蔽位置に完全に戻っていない場合には、割り込み表示イベントが終了していないと判断されるため、表示部２３２に開放報知画面Ｎ４が表示され続ける。そのため、ユーザーによるカバー部材８２の閉め忘れを抑制することができる。
【００８３】
（７）なお、管理サーバー４０によって指定されたＵＲＬはＵＲＬ記憶部９３５に記憶される。そのため、割り込み表示イベントの発生に起因して第２の表示処理から第１の表示処理に切り替わり、その後に割り込み表示イベントが終了して第２の表示処理を再開させるときには、ＵＲＬ記憶部９３５に記憶されている最新のＵＲＬを読み出すことにより、同ＵＲＬのブラウザー画面を表示部２３２に表示させることができる。すなわち、割り込み表示イベントの終了時に、ＵＲＬを管理サーバー４０から新たに受信しなくても、割り込み表示イベントの発生直前に表示部２３２に表示されていたブラウザー画面を、表示部２３２に再び表示させることが可能となる。
【００８４】
なお、上記実施形態は以下のように変更してもよい。
・割り込み表示イベントの発生によって第２の表示処理から第１の表示処理に切り替わるときに、管理サーバー４０によって指定された最新のＵＲＬを複合機２０側で記憶していなくてもよい。この場合、第１の表示処理が終了し、第２の表示処理が再開されるときには、管理サーバー４０からＵＲＬを再び送信させ、同ＵＲＬのブラウザー画面に関する画面情報を受信し、同ブラウザー画面情報に基づいたブラウザー画面を表示部２３２に表示させるようにしてもよい。
【００８５】
・割り込み表示イベントの発生によって第２の表示処理から第１の表示処理に切り替わるときには、第２の表示処理によって表示部２３２に表示されていたブラウザー画面に関する情報を所定の記憶部に記憶させるようにしてもよい。この場合、第１の表示処理が終了し、第２の表示処理が再開されるときには、所定の記憶部からブラウザー画面情報を読み出し、同ブラウザー画面情報に基づいたブラウザー画面を表示部２３２に表示させるようにしてもよい。
【００８６】
・用紙の属性として、用紙サイズのみ設定可能な場合には、ユーザーによる給紙カセット８４の操作に起因する割り込み表示イベントが発生したときには、図１０に示すサイズ設定用画面Ｎ２を表示部２３２に表示させるようにしてもよい。
【００８７】
・用紙の属性として、用紙の種類のみ設定可能な場合には、ユーザーによる給紙カセット８４の操作に起因する割り込み表示イベントが発生したときには、図１１に示す種類設定用画面Ｎ３を表示部２３２に表示させるようにしてもよい。
【００８８】
・上記実施形態では、給紙カセット８４が印刷部ケース８１から離脱されたタイミングで割り込み表示イベントを発生させるようにしているが、離脱されている給紙カセット８４が印刷部ケース８１に装着されたタイミングで割り込み表示イベントを発生させるようにしてもよい。
【００８９】
・機構部の一例を構成するカバー部材は、複合機２０の本体に対してスライド移動可能な構成であってもよいし、複合機２０の本体から取り外し可能な構成であってもよい。
・機構部は、複合機２０の本体に対して変位可能に構成されたものであれば、給紙カセット８４やカバー部材８２以外の他の機構部であってもよい。例えば、こうした他の機能部としては、インクタンクが収容されているケースや同ケースのカバー部材などを挙げることができる。また、機構部は、印刷部２１の印刷部ケース８１ではなく、スキャン部２２のスキャン部ケースに設けられた機構部であってもよい。
【００９０】
・管理システムを構成する電子機器は、表示部２３２を有しているのであれば、複合機以外の他の電子機器であってもよい。例えば、電子機器は、印刷のみが実行可能なプリンターであってもよいし、コピーのみが実行可能なコピー機であってもよいし、スキャン機能を有するスキャナーであってもよい。
【００９１】
次に、上記実施形態及び別の実施形態から把握できる技術的思想を以下に追記する。
（イ）前記機構部は、前記電子機器の本体に対して変位可能に構成されていることが好ましい。
【００９２】
（ロ）前記表示制御部は、前記第１の表示処理を実施する第１の表示制御部と、前記第２の表示処理を実施する第２の表示制御部と、を有することが好ましい。
【符号の説明】
【００９３】
１１…ネットワーク、２０…複合機、２１…印刷部、２３２…表示部、２４…制御装置、４０…管理サーバー、８１…電子機器の本体の一例を構成する印刷部ケース、８２…機構部の一例を構成するカバー部材、８４…機構部の一例を構成する給紙カセット（媒体収容部の一例）、８８…カセットセンサー、８９…カバーセンサー、９３…表示制御部、９３１…第１の表示制御部、９３２…状態変化検知部の一例であるイベント発生部、９３４…第２の表示制御部、９３５…アクセス情報記憶部としてのＵＲＬ記憶部、９４…ネイティブ画面記憶部。
【図１】
0006435765.tif 000002
【図２】
0006435765.tif 000003
【図３】
0006435765.tif 000004
【図４】
0006435765.tif 000005
【図５】
0006435765.tif 000006
【図６】
0006435765.tif 000007
【図７】
0006435765.tif 000008
【図８】
0006435765.tif 000009
【図９】
0006435765.tif 000010
【図１０】
0006435765.tif 000011
【図１１】
0006435765.tif 000012
【図１２】
0006435765.tif 000013
【図１３】
0006435765.tif 000014